(57)【要約】【課題】地下水のエネルギー熱効率を高めた高品位な熱資源を簡易に採熱することができる地下水熱利用システムを提供する。【解決手段】地下帯水層１２の地下水１４を熱資源として利用する地下水熱利用システム１において、地下帯水層１２を貫通して削孔された揚水井２に流入した地下水１４を吸上げて削孔された還元井３に流出させ、揚水井２と同じ地下帯水層１２か、又は揚水井２とは異なる地下帯水層１２に地下水１４を還流させる還元水配管４と、還元井３に設けられた第２採放熱管６ｂと、揚水井２に設けられた第１採放熱管６ａとを直列に連結して循環水１５を流通させる循環水配管５と、採熱された循環水１５の熱エネルギーを放熱させるヒートシンク１０と、を備える。【選択図】図１
2015212593.tif 000002
【特許請求の範囲】
【請求項１】
地下帯水層の地下水を熱資源として利用する地下水熱利用システムにおいて、
地下帯水層を貫通して削孔された揚水井に流入した地下水を吸上げ、還元用水溜りに流出させて地下帯水層に前記地下水を還流させる還元水配管と、
還元用水溜りに設けられた第１の採放熱管と、揚水井に設けられた第２の採放熱管とを直列に連結して循環水を流通させる循環水配管と、
採熱された循環水の熱エネルギーを放熱させるヒートシンクと、
を備えることを特徴とする地下水熱利用システム。
【請求項２】
請求項１に記載の地下水熱利用システムであって、前記還元用水溜りは、削孔された還元井であり、前記還元井は、揚水井で吸い上げられた地下水を、揚水井と同じ地下帯水層か、又は前記揚水井とは異なる地下帯水層に環流させることを特徴とする地下水熱利用システム。
【請求項３】
請求項１又は２に記載の地下水熱利用システムであって、循環水配管は、第１の採放熱管を流通する循環水が還元用水溜り側又は還元井のヒートソースから第１の熱交換により採熱した第１の熱エネルギーと、第２の採放熱管を流通する循環水が揚水井側のヒートソースから第２の熱交換により採熱した第２の熱エネルギーと、を累積して循環させることを特徴とする地下水熱利用システム。
【請求項４】
請求項３に記載の地下水熱利用システムであって、第１の熱エネルギーは、揚水井における熱交換により温度が低下した還元水から、ヒートシンクにおいて放熱されて温度がより低下した循環水が、還元水との温度差により採熱する熱エネルギーであることを特徴とする地下水熱利用システム。
【請求項５】
請求項３又は４に記載の地下水熱利用システムであって、第１の採放熱管を流通する循環水は、揚水井から流出した還元水と対向する流れの部分において向流式熱交換により第１の熱エネルギーを採熱し、第２の採放熱管を流通する循環水は、地下水から汲み上げられた井水と対向する流れの部分において向流式熱交換により第２の熱エネルギーを採熱することを特徴とする地下水熱利用システム。
【請求項６】
請求項５に記載の地下水熱利用システムであって、第１の採放熱管のうち揚水井から流出した還元水と向流式熱交換を行う部分は、循環水を螺旋状に降下させるスパイラル採放熱管であり、第２の採放熱管のうち地下水から汲み上げられた井水と向流式熱交換を行う部分は、循環水を螺旋状に上昇させるスパイラル採放熱管であることを特徴とする地下水熱利用システム。
【請求項７】
請求項１乃至６のいずれか１項に記載の地下水熱利用システムであって、循環水配管は、一つのポンプにより循環水を循環させ、還元水配管は、一つのポンプにより地下水を揚水井に汲み上げて井水とし、揚水井から井水を吸上げて還元用水溜り又は還元井に還元水として吐き出し、還元水を還元用水溜り又は還元井から前記揚水井と同じ地下帯水層か、又は前記揚水井とは異なる地下帯水層に地下水として環流させることを特徴とする地下水熱利用システム。
【請求項８】
請求項１乃至７のいずれか１項に記載の地下水熱利用システムであって、ヒートシンクは、熱交換器を備え、前記熱交換器は、循環水配管を流通する循環水から熱エネルギーを採熱し、熱源水配管を流通する熱源水に放熱し、熱資源として利用させることを特徴とする地下水熱利用システム。
【請求項９】
請求項１乃至７のいずれか１項に記載の地下水熱利用システムであって、還元水配管は、還元水の一部を還元水用ポンプから分岐させ、水資源として利用させることを特徴とする地下水熱利用システム。
【請求項１０】
請求項１乃至９のいずれか１項に記載の地下水熱利用システムであって、還元水配管は、一部又は全部が井戸内に挿入され、還元水を流通させるポンプは地上に設けられるか、又は揚水井の内部に水中ポンプとして設けられることを特徴とする地下水熱利用システム。
【請求項１１】
請求項１乃至１０のいずれか１項に記載の地下水熱利用システムであって、還元水配管及び循環水配管は、それぞれ揚水井、及び、還元用水溜り又は還元井内で複数の採放熱管に分岐して採熱することを特徴とする地下水熱利用システム。
【請求項１２】
請求項１乃至１１のいずれか１項に記載の地下水熱利用システムであって、揚水井は、地下帯水層を貫通する部位の外壁に地下水を流入させる複数の開口部を有し、還元用水溜り又は還元井は、地下帯水層を貫通する部位の外壁に地下水として流出させる複数の開口部を有することを特徴とする地下水熱利用システム。
【発明の詳細な説明】
【技術分野】
【０００１】
本発明は、地下水熱利用システムに係り、特に、地下帯水層を流れる地下水を熱資源として利用する地下水熱利用システムに関する。
【背景技術】
【０００２】
近年、再生可能エネルギーとして地中熱を利用したエネルギーが注目されている。このエネルギーを利用するシステムを広義の「地中熱利用システム」と称す。この広義の「地中熱利用システム」には、地下水や土粒子に貯えられた地中熱をヒートソース（熱源）として直接利用する狭義の「地中熱利用システム」、及び、主に地下水に貯えられた熱を熱源水として利用する「地下水熱利用システム」が含まれる。
【０００３】
狭義の地中熱利用システムとして、例えば、特許文献１に地中熱を高効率で融雪、暖房、給湯等に利用可能な地中熱利用ヒートポンプ装置が開示されている。一般的に、この地中熱利用システムでは地中熱を採取して熱源として利用する地中熱利用ヒートポンプ等を用いるため、設備コストやランニングコストが高くなる。また、ヒートソース（熱源）より地中熱が採熱された後に、新鮮な地中熱がヒートソースに供給されるが、この熱供給は、地下水の他に地中の土粒子や空気などを媒体にするため、地下水のみの場合に比べて熱供給効率が悪く、ヒートポンプ等の運転能力を上げるための費用が嵩む。
【０００４】
一方、地下水熱利用システムには、地下帯水層を流れる地下水を直接汲み上げて熱源水として利用するシステム、及び地下帯水層を流れる地下水から熱交換により採熱し、熱源水として利用するシステムがある。このうち、地下帯水層を流れる地下水を直接汲み上げて熱源水として利用するシステムは、例えば、路面に積もった雪を溶かすために地下水を汲み上げて直接路面に散水するシステムなどである。この地下水熱を利用するシステムは、地中熱を利用するシステムと比べて熱交換能力が高い。また、地下帯水層には温度の高い新鮮な地下水が連続的に供給されるため、有効なヒートソース(熱源)となり得る。しかし、地下水を直接散水することから、地下水に含まれる、例えば鉄分等の含有物の影響により、例えば、粉塵公害や路面の赤褐色化による景観上の問題が生じた。
【０００５】
また、地下帯水層を流れる地下水から熱交換により採熱し、熱源水として利用するシステムの例として、例えば、特許文献２には、構造が簡単で安価な地下水を利用したヒートポンプシステムが開示されている。ここでは、打込工法によって地盤に二つの浅井戸を設けて、冷房時において、一方の井戸から汲み上げた地下帯水層の地下水を、冷媒の熱交換に利用した後、他方の井戸に注入して地下帯水層に還元し、暖房時において、他方の井戸から汲み上げた地下帯水層の地下水を、冷媒の熱交換に利用した後、一方の井戸に注入して地下帯水層へ還流させることが記載されている。このように、地下水等を負荷側に直接送り込むのではなく、熱交換により間接的に地下水熱を熱源として利用し、利用後の地下水は同じ地下帯水層に還流させるシステムが提案されている。
【０００６】
また、地下水熱を利用するシステムの場合、外気と十分に温度差のない「低温熱源水」である地下水を利用する。このため、この低温熱源水から必要な熱エネルギーを取り出すために、重油、電気等多くの化石エネルギーが併用されている。また、温度差の取れない低温熱源水から熱資源を取り出すためにヒートポンプや水―水熱交換器などの設備機器が用いられるのが一般的である。
【０００７】
この低温熱源水から必要な熱エネルギーを取り出すための地下水熱利用システムが提案されている。例えば、特許文献３には、水熱源ヒートポンプの熱源水としてブラインを用い、そのブラインを還元井及び地中熱井を兼用した熱交換器が開示されている。ここでは、水熱源ヒートポンプの熱源水としてブラインを用い、そのブラインを還元井及び地中熱井を兼用した熱交換器において地下水及び地中から熱を吸熱し、さらに水−水熱交換器において地下水と熱交換して地下水から熱を吸熱する。また、地下水脈から抽出した地下水の元の地下水脈に地下水を戻すために還元井にＵチューブ熱交換器を挿入し、Ｕチューブの外とケーシングの間は透水性をもった充填材により充填し、地表部から水が溢れないようにする蓋を擁した還元井及び地中熱井を兼用した装置を用いることが記載されている。
【０００８】
また、特許文献４には、複数の井戸に採熱管と水管を併設する地中熱交換システムが開示されている。ここでは、一つの井戸から吸い上げた地下水を他の井戸の同じ地下水層に還流して地中への蓄熱を防止し、揚水井と還元井の両方の井戸に設けた採熱管を並列に熱交換器に接続して双方の井戸から採熱するシステムが記載されている。
【０００９】
ここでエクセルギーについて説明する。「エネルギー」は熱力学第１法則であるエネルギー保存則によりある系内の全エネルギーは保存され消費されない。しかし、実用上では、使えば消費されるエネルギーを表す概念としてエクセルギーが用いられる。このエクセルギーとは、ある系が周囲の環境平衡状態に達するまでに取り出すことのできる最大の仕事量(エネルギー)をいう。例えば、室温Ｔ０の環境に温度Ｔの系が置かれている場合、熱容量をＣとし、熱効率をηとしたときに、微小熱量δＱだけエネルギーを放出したとすると、そのうち力学的エネルギーに変換されるのは、δＷ＝ηδＱ＝（１−Ｔ０／T）CdＴとなる。この式より、熱効率ηを上げてエクセルギーを向上させるには、Ｔ０／Tを最小にすればよい。すなわち、温度差（Ｔ―Ｔ０）を大きくするか、又は“Ｔ”を大きくすればよいことがわかる。
【００１０】
特許文献４には、エネルギー変換機器のエクセルギー損失評価を、エネルギー変換機器を構成する各構成要素をブロック化し、各構成要素のエクセルギー損失を算出し、それらを統合化して全体の評価を行うエネルギー変換機器性能評価システムが開示されている。ここでは、エクセルギーを用いてエネルギー変換機器の性能評価を行うエネルギー変換機器性能評価システムは、入力パラメータに基づいてシミュレーション実行部が出力した各構成要素における熱学演算値を用いて各構成要素のエクセルギー損失を演算出力するエクセルギー演算部と、出力されたエクセルギー損失からエネルギー変換機器の性能評価を行う評価部とが備えられている。
【先行技術文献】
【特許文献】
【００１１】
【特許文献１】特開２００９−３６４１５号公報
【特許文献２】特開２００２−５４８５７号公報
【特許文献３】特開２００８−３０９３８２号公報
【特許文献４】特開２００４−２７１１２９号公報
【特許文献５】特開２０１２−３７１４３号公報
【発明の概要】
【発明が解決しようとする課題】
【００１２】
上述したように、地下水熱利用システムでは、汲み上げた地下水を同じ地下帯水層か又は異なる地下帯水層へ還流させるため揚水井に対して還元井を設け、還元水配管により揚水井から還元井に地下水を還流させるシステムが採用される場合が多い。ここで、本発明は、この地下水を還流させる箇所としては還元井に限らず還元水が熱交換可能な程度に貯水された箇所であり、例えば、升、水槽、池、河川の一部等をも対象とする。以下、これらの箇所を「還元用水溜り」と称する。
【００１３】
そして、低温熱源水から必要な熱エネルギーを取り出すため、揚水井だけではなく還元用水溜り又は還元井からも採熱するシステムが好ましい。しかし、揚水井から循環水配管により熱交換された地下水は温度が低下するため、還元水配管により還元用水溜り又は還元井に還元された地下水は、熱資源として期待できない、つまり、低品位な熱資源となるという問題がある。
【００１４】
これは、揚水井にて汲み上げた地下水熱を熱資源として採熱する地下水熱利用システムにおいて、採熱した地下水を同じ地下帯水層か又は異なる地下帯水層に水資源として環水する場合、揚水井にて採熱の効率を上げればそれだけ還元用水溜り又は還元井での採熱が低品位になるということである。
【００１５】
そして、低温熱源水から必要な熱エネルギーを取り出す地下水熱利用システムは、そもそも再生可能エネルギーとしての活用が期待される技術である。そのため、化石燃料を消費するヒートポンプ等の設備機器を全く使用しないか、或いは設備機器の負担を極力軽減するような簡易な方法により、高品位な熱資源を採熱すべきである。
【００１６】
本願の目的は、かかる課題を解決し、地下水のエネルギー熱効率を高めた高品位な熱資源を簡易に採熱することができる地下水熱利用システムを提供することである。
【課題を解決するための手段】
【００１７】
上記目的を達成するため、本発明に係る地下水熱利用システムは、地下帯水層の地下水を熱資源として利用する地下水熱利用システムにおいて、地下帯水層を貫通して削孔された揚水井に流入した地下水を吸上げ、還元用水溜りに流出させて地下帯水層にその地下水を還流させる還元水配管と、還元用水溜りに設けられた第１の採放熱管と、揚水井に設けられた第２の採放熱管とを直列に連結して循環水を流通させる循環水配管と、採熱された循環水の熱エネルギーを放熱させるヒートシンクと、を備えることを特徴とする地下水熱利用システム。
【００１８】
上記構成により、地下水熱利用システムは、還元水配管が地下帯水層を貫通して削孔された揚水井に流入した地下水を吸上げ、還元用水溜りに還元水として還流させる。これによる第１の効果として、揚水井にて循環水と熱交換して温度が低下した井水を還元水として還元用水溜りに流出させて地下帯水層に還流させ、地下帯水層から新鮮で温度の高い地下水を流入させることができる。そして、地下水のエネルギー熱効率を高めることができ、高品位な熱資源として採熱することができる。また、第２の効果として、環元水を水資源としても利用可能となる。なお、還元用水溜りに流出された還元水は、直接地下帯水層へと還流しても良く、還元用水溜りから地盤に漏れ出して地下帯水層へと到達しても良い。
【００１９】
また、揚水井に設けられた第１の採放熱管と、還元用水溜りに設けられた第２の採放熱管とが直列に連結して循環水を流通させる。すなわち、揚水井において、井水から循環水が採熱するという熱交換が行われ、還元用水溜りにおいて、還元水から循環水が採熱するという熱交換が行われるが、これらの熱交換が行われる第１の採放熱管及び第２の採放熱管が直列に連結されることで、地下水のエネルギー熱効率を高めることが可能となり、高品位な熱資源として採熱することができる。
【００２０】
また、地下水熱利用システムは、還元用水溜りが、削孔された還元井であり、この還元井は、揚水井で吸い上げられた地下水を、揚水井と同じ地下帯水層か、又は前記揚水井とは異なる地下帯水層に環流させることが好ましい。すなわち、上述した還元用水溜りは、井戸として削孔された還元井であっても良い。また、この還元井は、揚水井と同じ地下帯水層に削孔され、揚水井で汲み上げられた地下水が還元井で同じ地下帯水層に還流しても良く、揚水井で汲み上げられた地下水が還元井で異なる地下帯水層に還流しても良い。
【００２１】
また、地下水熱利用システムは、循環水配管が第１の採放熱管を流通する循環水が還元用水溜り側又は還元井のヒートソースから第１の熱交換により採熱した第１の熱エネルギーと、第２の採放熱管を流通する循環水が揚水井側のヒートソースから第２の熱交換により採熱した第２の熱エネルギーと、を累積して循環させるが好ましい。このように、第１の熱交換が行われる第１の採放熱管、及び第２の熱交換が行われる第２の採放熱管が直列に連結されることで、地下水のエネルギー熱効率が加算され、より大きな出力温度を得ることができる。この結果、高品位な熱資源として採熱することができる。
【００２２】
また、地下水熱利用システムは、第１の熱エネルギーが揚水井における熱交換により温度が低下した還元水から、ヒートシンクにおいて放熱されて温度がより低下した循環水が、還元水との温度差により採熱する熱エネルギーであることが好ましい。このように、第１の熱交換が行われる第１の採放熱管、及び第２の熱交換が行われる第２の採放熱管が直列に連結され、還元水においても温度差を利用して採熱し、高品位な熱資源とすることができる。
【００２３】
また、地下水熱利用システムは、第１の採放熱管を流通する循環水が揚水井から流出した還元水と対向する流れの部分において向流式熱交換により第１の熱エネルギーを採熱し、第２の採放熱管を流通する循環水は、地下水から汲み上げられた井水と対向する流れの部分において向流式熱交換により第２の熱エネルギーを採熱することが好ましい。このように、循環水配管において向流式熱交換をカスケード的に二重に行い、熱エネルギーを効率よく採熱することができる。
【００２４】
また、地下水熱利用システムは、第１の採放熱管のうち揚水井から流出した還元水と向流式熱交換を行う部分が、循環水を螺旋状に降下させるスパイラル採放熱管であり、第２の採放熱管のうち地下水から汲み上げられた井水と向流式熱交換を行う部分は、循環水を螺旋状に上昇させるスパイラル採放熱管であることが好ましい。これにより、還元用水溜り又は還元井内又は揚水井内において向流式熱交換を行う採放熱管は、螺旋状に上昇又は下降することで還元水又は井水と向流により熱交換する表面積が増加し、向流式熱交換による熱エネルギーの採熱をより効果的に発揮させることができる。
【００２５】
また、地下水熱利用システムは、循環水配管が一つのポンプにより循環水を循環させ、還元水配管は、一つのポンプにより地下水を揚水井に汲み上げて井水とし、揚水井から井水を吸上げて還元用水溜り又は還元井に還元水として吐き出し、還元水を還元用水溜り又は還元井から前記揚水井と同じ地下帯水層か、又は前記揚水井とは異なる地下帯水層に地下水として環流させることが好ましい。これにより、循環水を一つのポンプのみで流通させることでより簡易なシステムとすることができる。また、還元水を一つのポンプにより流通させるだけではなく、地下帯水層から新鮮で地中熱により温度が比較的高い地下水を容易に揚水井に流入させることができ、また、還元水を地下水として容易に環水させることができる。
【００２６】
また、地下水熱利用システムは、ヒートシンクが熱交換器を備え、前記熱交換器は、循環水配管を流通する循環水から熱エネルギーを採熱し、熱源水配管を流通する熱源水に放熱し、熱資源として利用させることが好ましい。このように、ヒートシンクが熱交換器を備えて熱源水配管を流通する熱源水に放熱することで、循環水と熱源水とを異なる液体にすることができる。
【００２７】
また、地下水熱利用システムは、還元水配管が還元水の一部を還元水用ポンプから分岐させ、水資源として利用させることが好ましい。このように、還元水配管から分岐された配下により還元水を熱資源だけではなく水源水としても活用できる。
【００２８】
また、地下水熱利用システムは、還元水配管が一部又は全部が井戸内に挿入され、還元水を流通させるポンプは地上に設けられるか、又は揚水井の内部に水中ポンプとして設けられることが好ましい。これにより、揚水井において熱交換により温度低下した井水が還元水として吐き出されるまでに地中内の比較的高い温度により温められ、還元用水溜り又は還元井からよりエネルギー熱効率の高い高品位な熱資源を揚水井に送ることができる。
【００２９】
また、地下水熱利用システムは、還元水配管及び循環水配管がそれぞれ揚水井、及び、還元用水溜り又は還元井内で複数の採放熱管に分岐して採熱することが好ましい。これにより、採放熱管の内部を流通する循環水と、井水又は還元水との向流式熱交換が行われる採放熱管の表面積が増大し、交換される熱量が増大する。
【００３０】
さらに、地下水熱利用システムは、揚水井が地下帯水層を貫通する部位の外壁に地下水を流入させる複数の開口部を有し、還元用水溜り又は還元井は、地下帯水層を貫通する部位の外壁に地下水として流出させる複数の開口部を有することが好ましい。これにより、揚水井において地下水を容易に井水として容易に吸込み、還元用水溜り又は還元井において還元水を地下水として容易に環元することができる。なお、還元用水溜りについては、この複数の開口部がなく、還元用水溜りから地盤へ地下水が漏れ出しても良い。
【発明の効果】
【００３１】
以上のように、本発明に係る地下水熱利用システムによれば、地下水のエネルギー熱効率を高めた高品位な熱資源を簡易に採熱することができる地下水熱利用システムを提供することができる。
【図面の簡単な説明】
【００３２】
【図１】本発明に係る地下水熱利用システムである連携直列利用モデルの１つの実施形態の概略構成を示す断面図である。
【図２】揚水井及び還元井と地下帯水層との関係を示す側面図、及び揚水井及び還元井を図１のＡ−Ａ断面で示す断面図である。
【図３】揚水井のみをヒートソースとする単純熱交換モデルによる地下水熱利用システム概略構成を示す説明図である。
【図４】揚水井及び還元井をヒートソースとして並列させる非連携並列利用モデルによる地下水熱利用システムの概略構成を示す説明図である。
【図５】カスケード的に二重向流式熱交換を説明する連携直列利用モデルによる地下水熱利用システムを示す説明図である。
【図６】スパイラル採放熱管を用いた連携直列利用モデルによる地下水熱利用システムの実施例を示す断面図である。
【図７】採放熱管内の循環水の深度方向の温度分布のモデルを示す説明図である。
【図８】本発明に係る地下水熱利用システムの他の実施形態である、採放熱管が複数本設けられた場合を示す断面図である。
【図９】図１に示す地下水熱利用システムの他の実施形態である、揚水井において還元水配管又は還元水用ポンプが水中に設置された場合を示す断面図である。
【図１０】ヒートシンクの構成の実施例を示す説明図である。
【図１１】ヒートシンクの構成の実施例において、還元水の一部が水資源として利用される実施例を示す説明図である。
【発明を実施するための形態】
【００３３】
以下に、図面を用いて本発明に係る地下水熱利用システム１の実施形態につき、詳細に説明する。本発明は地下帯水層１２の地下水１４を熱資源として利用する地下水熱利用システム１である。ここで、揚水井２から汲み上げられた地下水が流出される箇所は、削孔された井戸である還元井３に限らず、還元水が熱交換可能な程度に貯水された、例えば、升、水槽、池、河川の一部等のも含まれる。本実施形態では、例えば、升、水槽、池、河川の一部等を「還元用水溜り」と総称する。そして、本実施形態ではこの地下水が流出される箇所が還元井３である場合について説明するが、還元用水溜りの場合であっても同様に適用される。
【００３４】
（地下水熱利用システムの構成）
図１に、本発明に係る地下水熱利用システム１の１つの実施形態の概略構成を示す。本地下水熱利用システム１は、揚水井２、還元井３、還元水配管４、循環水配管５、採放熱管６ａ及び６ｂ、還元水用ポンプ８、及び循環水用ポンプ９から構成される。揚水井２は、地下帯水層１２を貫通して設けられた井戸であり、流入した地下水１４が井水２２として揚水井２内に貯まる。還元井３は、揚水井２と同じ地下帯水層１２、又は揚水井２と異なる地下帯水層１２に設けられた井戸であり、汲み上げられた揚水井２の井水２２が還元井３において還元水１６として流出する。このように、揚水井２にて汲み上げられた地下水１４は、還元井３において揚水井２と同じ地下帯水層１２、又は異なる揚水井２と異なる地下帯水層１２に再度地下水１４として還流される。なお、図１の揚水井２及び還元井３において、地下帯水層１２内に記載された白抜きの矢印は、地下水１４の地下帯水層１２内における流れの方向を示す。これは、以下の図面においても同様である。また、揚水井２が設けられる地下帯水層１２と、還元井３が設けられる地下帯水層１２とは、同じ地下帯水層１２であっても、異なる地下帯水層１２であっても、いずれも地下水１４として還流されることに変わりがないため、いずれでも良い。
【００３５】
図２（ａ）に揚水井２及び還元井３と地下帯水層１２との関係を側面図で示す。図２（ａ）の側面図は、揚水井２及び還元井３に共通の側面である。揚水井２及び還元井３の外径は、例えば、略３００ｍｍであるが、これに限らない。図２（ａ）に示すように、揚水井２及び還元井３のうち地下帯水層１２を貫通する部分には、井戸の側壁に開口部であるスリット１８が設けられる。そして、このスリット１８を介して地下水１４が揚水井２に流入して井水２２となるか、又は還元井３から還元水１６が流出して地下水１４となる。このスリット１８は、揚水井２及び還元井３に設けられた開口部であれば図２（ａ）の形状に限らず、例えば、揚水井２又は還元井３の側壁に螺旋状に巻かれた巻き線型の開口部等であっても良い。また、揚水井２と還元井３とで異なる形状の開口部であっても良い。図２（ｂ）に示す黒塗りの矢印は、地下帯水層１２を流れる地下水１４の揚水井２及び還元井３に対する流入又は流出の方向を示す。これは、以下の図面においても同様である。この黒塗りの矢印で示すように、地下帯水層１２を流れる地下水１４は、揚水井２のスリット１８から揚水井２の内部に流入し、還元井３のスリット１８から還元井３の外部へ流出する。
【００３６】
図２（ｂ）に揚水井２及び還元井３を図１のＡ−Ａ断面で示す。図２（ｂ）の断面は、揚水井２及び還元井３をそれぞれ個別に示している。還元水用ポンプ８は、還元水配管４により揚水井２から吸い上げた井水２２を還元井３に還元水１６として吐き出し、再び地下水１４に還流させる。図２（ｂ）に示すように、還元水用ポンプ８は、揚水井２に向かう方向に地下水１４を吸引し、還元井３から離れる方向に地下水１４を吐出する。なお、本明細書では、揚水井２に流入した地下水１４を井水２２と称し、還元井３に流出された地下水１４を還元水１６と称し、揚水井２と同じ地下帯水層１２か、又は異なる地下帯水層１２に還流された還元水１６を地下水１４と称して区別する。なお、揚水井２が設けられる地下帯水層１２と、還元井３が設けられる地下帯水層１２とは、同じ地下帯水層１２であっても良く、異なる地下帯水層１２であっても良い。
【００３７】
図１に示す循環水配管５は、還元井３の内部に設けられたＵ字管である第１採放熱管６ａ、揚水井２の内部に設けられたＵ字管である第２採放熱管６ｂ、及び第１採放熱管６ａと第２採放熱管６ｂとを直列に連結する連結採放熱管６ｃ，６ｄから構成される。第１採放熱管６ａはヒートソース（熱源）１１ａから熱エネルギーを採熱し、第２採放熱管６ｂはヒートソース（熱源）１１ｂから熱エネルギーを採熱する。本実施形態では、循環水配管５は一つの循環水用ポンプ９により循環水１５を循環させる。循環水配管５を流通する液体は、例えば、ブライン等の不凍液であり、これを循環水１５と称する。図１に示すように、循環水１５は循環水ポンプ９により、還元井３内の第１採放熱管６ａ、連結採放熱管（往路）６ｃ、第２採放熱管６ｂ、連結採放熱管（復路）６ｄという循環ルートを循環する。ヒートシンク１０は、連結採放熱管（復路）６ｄに設けられる。この循環ルートの方向は、揚水井２内を循環する第２採放熱管６ｂを通過後すぐにヒートシンク１０に向かう方向が好ましく、逆回りの循環ルートであると熱交換効果は低減される。ヒートシンク１０では、後述するように、循環水配管５により流入した循環水１５の熱エネルギーが採熱されて熱資源として利用される。また、図２（ｂ）に示すように、還元井３内の第１採放熱管６ａ、及び揚水井２内の第２採放熱管６ｂは、それぞれ戻り管と送り管の２本が還元水配管４と共に配設される。
【００３８】
（地下水熱利用システムの特徴）
図１に示した地下水熱利用システム１の特徴を説明する。まず、基本的な特徴である「連携直列利用」という点を説明する。そして、この特徴を「エクセルギー」により理論的に説明し、さらに「２重向流式熱交換方式」及び「カスケード熱移動方式」というキーワードにより具体的に説明する。
【００３９】
本発明の特徴である連携直列利用モデルによる地下水熱利用システム１ａについて説明するうえで、比較のために、単純熱交換モデルの地下水熱利用システム１ｂ、及び非連携並列利用モデルによる地下水熱利用システム１ｃをそれぞれ説明する。
【００４０】
（単純熱交換モデルによる地下水熱利用システム）
図３に、単純熱交換モデルによる地下水熱利用システム１ｂを示す。この単純熱交換モデルによる地下水熱利用システム１ｂでは、揚水井２において地下水１４を汲み上げて還元水用ポンプ８により還元井３に吐き出し、揚水井２と同じ地下帯水層１２か、又は揚水井２とは異なる地下帯水層１２に地下水１４として還流させる。そして、揚水井２のみをヒートソース（熱源）１１ｂとして揚水井２に流入した地下水１４である井水２２と、循環水配管５の第２採放熱管６ｂ内を流通する循環水１５とを単純に熱交換させる。この単純熱交換モデルによる地下水熱利用システム１ｂは、地下水環境を乱さない点は、地中のヒートソースから熱源水を汲み上げて直接負荷に供給する従来の地下水熱利用システムの問題点を改善している。また、この単純熱交換モデルによる地下水熱利用システム１ｂは、従来の地中熱利用システムよりも高品位な熱資源を採熱できるシステムである。これは、揚水井２において既に熱交換され水温が低下した井水２２を汲みあげて還元井３に吐き出すことで、地下帯水層１２から新鮮でより高品位な熱資源が確保できるからである。ここで、「高品位な熱資源」とは、本明細書では、後述するエクセルギー値が高い熱源をいい、採熱する際により温度差の大きな熱源をいう。すなわち、新鮮な地下水１４とは、熱交換により水温が低下していない地下水１４をいう。
【００４１】
この単純熱交換モデルについて地下帯水層１２も含めた３次元ＦＤＭ(有限差分法)解析モデルによりシミュレーションを行った結果、揚水井２のヒートソース１１ｂの温度を１５℃とした場合に、ヒートシンク１０に供給されて熱利用される循環水配管５内の循環水１５が９℃であり、ヒートシンク１０で熱利用されて排出される循環水配管５内の循環水１５は３℃であった。また、還元水配管４内の還元水１６は９℃であった。つまり、ヒートシンク１０において９℃から３℃に低下した循環水１５は、１５℃のヒートソース１１ｂにおける採熱により温度が９℃に上昇する。
【００４２】
（非連携並列利用モデルによる地下水熱利用システム）
図４に、非連携並列利用モデルによる地下水熱利用システム１ｃを示す。このモデルでは、揚水井側ヒートソース１１ｂだけではなく還元井側ヒートソース１１ａからも採熱する。ここでは、還元井側循環水ポンプ９ａ及び揚水井側循環水ポンプ９ｂによりそれぞれ独立して熱エネルギーを採熱する。つまり、揚水井２側と還元井３側とは非連携であり、並列的に熱エネルギーを採熱するシステムである。一方、揚水井２において汲み上げられた井水２２は、還元水用ポンプ８により還元井３に還元水１６として吐き出され、揚水井２と同じ地下帯水層１２か、又は揚水井２とは異なる地下帯水層１２に地下水１４として還流される。このように、揚水井２において熱エネルギーを採熱されて低温となった還元水１６が連続的に還元井３に供給されるため、還元井側ヒートソース１１ａは揚水井側ヒートソース１１ｂに比べて低い温度となる。
【００４３】
図４の非連携並列利用モデルによる地下水熱利用システム１ｃについて、地下帯水層１２も含めた３次元ＦＤＭ(有限差分法)解析モデルによりシミュレーションを行った結果、揚水井側ヒートソース１１ｂの温度を１５℃とした場合に、揚水井側ヒートシンク１０ｂに供給されて熱利用される循環水配管５内の循環水１５が９℃であり、揚水井側ヒートシンク１０ｂで熱利用されて排出する循環水配管５の循環水１５は３℃であった。また、還元井側ヒートシンク１０ａに供給されて熱利用される循環水配管５の循環水１５が６℃であるのに対し、還元井側ヒートシンク１０ａで熱利用されて排出する循環水配管５の循環水１５は３℃であった。さらに、還元水配管４の還元水１６は１０℃であった。つまり、揚水井側ヒートシンク１０ｂにおいては、図３の単純熱交換モデルによる地下水熱利用システム１ｂと同様に、９℃から３℃に低下した循環水１５は、１５℃の揚水井側ヒートソース１１ｂからの採熱により温度が９℃に上昇する。一方、還元井側ヒートシンク１０ａにおいては、６℃から３℃に低下した循環水１５は、１０℃の還元井側ヒートソース１１ａからの採熱により温度が６℃に上昇するが、上述したように還元水１６の影響で採熱効率は揚水井側ヒートシンク１０ｂよりも低くなる。
【００４４】
（連携直列利用モデルによる地下水熱利用システム）
図１に示す、連携直列利用モデルによる地下水熱利用システム１ａについて、「連携」「直列」という２つの特徴を、図４の非連携並列利用モデルによる地下水熱利用システム１ｃと比較しながら説明する。第１の特徴は、図４が「並列」利用モデルであるのに対し、図１が「直列」利用モデルである点である。つまり、非連携並列利用モデルによる地下水熱利用システム１ｃは、並列であるためヒートシンク１０ａ，１０ｂが２つに分離され、循環水配管５の循環ループも２つに分離される。一方、本連携直列利用モデルによる地下水熱利用システム１ａは、直列であるためヒートシンク１０が一つに集約され、循環水配管５の循環ループが一つに集約される。すなわち、循環水１５は一つの循環水用ポンプ９により還元井３内の第１採放熱管６ａ、連結採放熱管（往路）６ｃ、第２採放熱管６ｂ、連結採放熱管（復路）６ｄという循環ルートを循環する。このように熱源が「直列」であることにより、熱源が「並列」である場合に比べて装置やシステムが簡略化され、熱資源を簡易に採熱できる。
【００４５】
第２の特徴は、図４が「非連携」利用モデルであるのに対し、図１が「連携」利用モデルである点を特徴である。つまり、図４の「非連携」利用モデルによる地下水熱利用システム１ｃは、２つのヒートソース１１ａ，１１ｂにおける熱交換が非連携で独立しているため、双方の熱源から採熱した熱エネルギーは加算されない。一方、図１の「連携」利用モデルによる地下水熱利用システム１ａは、２つのヒートソース１１ａ，１１ｂにおける熱交換が連携であり結合されるため、双方の熱源から採熱した熱エネルギーが一つの熱源として加算される。このように熱源が「連携」することにより、ヒートシンク１０には双方の熱源から採熱した熱エネルギーが加算され、より高い、高品位な熱源を得ることができる。
【００４６】
図１の連携直列利用モデルによる地下水熱利用システム１ａについて地下帯水層１２も含めた３次元ＦＤＭ(有限差分法)解析モデルによりシミュレーションを行った結果、揚水井２のヒートソース１１ｂの温度を１５℃とした場合に、ヒートシンク１０に供給されて熱利用される循環水配管５内の循環水１５が１１℃であるのに対し、ヒートシンク１０で熱利用されて排出する循環水配管５内の循環水１５は３℃であった。また、還元井３に流入する循環水配管５内の循環水１５が３℃であるのに対し、還元井３から流出する循環水配管５内の循環水１５は８℃であった。また、揚水井２に入る循環水配管５の循環水１５が８℃であるのに対し、揚水井２から出る循環水配管５内の循環水１５は１１℃であった。さらに、還元水配管４の還元水１６は９℃であった。すなわち、ヒートシンク１０に入る循環水配管５の循環水１５は、非連携並列利用モデルによる地下水熱利用システム１ｃが９℃であったのに対し、連携直列利用モデル１では熱エネルギーが加算されて１１℃となった。
【００４７】
ここで、上述したエクセルギーにより、連携直列利用モデルによる地下水熱利用システム１ａと非連携並列利用モデルによる地下水熱利用システム１ｃとの比較を行ってみる。上述したように、熱効率ηを上げてエクセルギーを向上させるには、Ｔ０／Ｔを最小にすればよい。すなわち、温度差（Ｔ―Ｔ０）を大きくするか、又は“Ｔ”自体を大きくすればよい。ここで、Ｔ０は系が置かれている環境温度又は室温であり、Ｔはそのモデルの温度である。シミュレーション結果では、図１の直列モデルによる地下水熱利用システム１ａではヒートシンク１０にＴ＝１１℃の循環水１５が流入する。また、図３の単純熱交換モデルによる地下水熱利用システム１ｂではヒートシンク１０にＴ＝９℃の循環水１５が流入する。さらに、図４の非連携並列利用モデル１ｃでは揚水井側ヒートシンク１０ｂにＴ＝９℃の循環水１５が流入し、還元井側ヒートシンク１０ａにＴ＝６℃の循環水１５が流入するという結果になった。このヒートシンク１０，１０ａ，１０ｂにおける周囲の気温（Ｔ０）が冬季であり０℃とすると、Ｔが高いほど熱効率ηが上がりエクセルギーが向上することがわかる。これらのシミュレーション結果からは、連携直列利用モデルによる地下水熱利用システム１ａは、単純熱交換モデルによる地下水熱利用システム１ｂ、及び非連携並列モデルによる地下水熱利用システム１ｃより高い温度（Ｔ）を得ることができる。つまり、非連携並列利用モデルによる地下水熱利用システム１ｃが２つの熱源からそれぞれ個別に採熱するのに対し、連携直列利用モデルによる地下水熱利用システム１ａはそれらの熱源を集約してより高品位な熱資源を簡易に採熱できることが分かる。
【００４８】
上述したシミュレーション結果は、温度Ｔに影響を与える多くの設定値が変数として設定されている。例えば、揚水井２及び還元井３の井戸としての径、及びスリット１８の大きさ、還元水配管４による還元水１６の流速（Ｖｐ）及び流量（Ｍｐ）、循環水配管５による循環水１５の流速（Ｖｑ）及び流量（Ｍｑ）などである。実際に地下水熱利用システム１を設計する際に、シミュレーションによりこれらの設定値を決定し、地下水熱利用システム１の施工値とすることができる。このように、地下水熱利用システム１の施工に際して連携直列利用モデルによる地下水熱利用システム１ａの設定値をシミュレーションにより探索し、より高品位な熱源を得ることができる。
【００４９】
（二重向流式熱交換方式）
図５に、二重向流式熱交換を説明するため、連携直列利用モデルによる地下水熱利用システム１ａをモデル化して示す。ここで「向流式熱交換」とは、熱交換における一つの伝熱形式であり、内部流体と外部流体とが伝熱面に沿って平行に流れ、高温流体と低温流体とが反対方向に流れて熱交換を行う形式をいう。図５には「向流式熱交換」の説明図として、揚水井２、還元井３、ヒートシンク１０、還元水配管４、循環水配管５、第１採放熱管６ａ，第２採放熱管６ｂ、連結採放熱管（往路）６ｃ，連結採放熱管（復路）６ｄ、地下水入口２４、及び地下水出口２５を示す。ヒートシンク１０を出た循環水１５は、ポイントＭ１（温度Ｔａ），Ｍ２（温度Ｔｂ），Ｍ３（温度Ｔｃ），Ｎ１（温度Ｔｄ），Ｎ２（温度Ｔｅ），Ｎ３（温度Ｔｆ）の順で図中の矢印のように循環する。また、還元水配管４では、還元水用ポンプ８により、揚水井２の底部において井水２２を吸込み、還元井３の底部において還元水１６を吐き出す。このため、揚水井２内の井水２２には下方に向う水流が発生し、還元井３内の還元水１６には上方に向う水流が発生する。
【００５０】
この還元水１６、井水２２、循環水１５の流れのなかで、還元井３側に向流式熱交換う域２３ａが発生し、揚水井２側に向流式熱交換領域２３ｂが発生する。すなわち、内部流体である循環水１５と外部流体である井水２２又は還元水１６とが伝熱面である第１採放熱管６ａ又は第２採放熱管６ｂに沿って平行に流れる。また、ポイントＭ１での循環水１５の温度Ｔａは３℃であり、ポイントＭ２での循環水１５の温度Ｔｂは還元水１６との熱交換によりＴｂ＝６℃〜８℃となる。さらに、ポイントＭ３での循環水１５の温度ＴｃはＴｂとほぼ同じ温度であるか、若干高い温度Ｔｃ＝８℃となる。一方、還元水１６の温度（Ｔｘ)は９℃であり、比較的高温である。つまり、還元井３側の向流式熱交換領域２３ａでは、比較的高温な流体である還元水１６が図に向かって上向きに流れ、比較的低温な流体である循環水１５の一方が図に向かって下向きに流れる。そして、それぞれ反対方向に流れることで向流式の熱交換が行われる。
【００５１】
また、ポイントＮ１での循環水１５の温度Ｔｄは８℃であり、ポイントＮ２での循環水１５の温度Ｔｅは井水２２による高温領域での熱交換によりＴｅ＝９℃〜１１℃となる。さらに、ポイントＮ３での循環水１５の温度ＴｆはＴｅとほぼ同じ温度であるか、若干高い温度Ｔｆ＝１１℃となる。一方、井水２２の温度（Ｔｙ)は１５℃であり、比較的高温である。つまり、揚水井２側の向流式熱交換領域２３ｂでは、高温流体である井水２２が図に向かって下向きに流れ、低温流体である循環水１５の一方が図に向かって上向きに流れる。そして、それぞれ反対方向に流れて向流式の熱交換が行われる。この地下水熱利用システム１ａは、還元井３側に向流式熱交換領域２３ａが設けられ、揚水井２側に向流式熱交換領域２３ｂが設けられる。そして、これらを直列に連携することで二重向流式熱交換となる。すなわち、第１採放熱管６ａを流通する循環水１５は、揚水井２から流出した還元水１６と対向する流れの部分において向流式熱交換により第１熱エネルギーを採熱し、第２採放熱管６ｂを流通する循環水１５は、地下水１４から汲み上げられた井水２２と対向する流れの部分において向流式熱交換により第２熱エネルギーを採熱する。これにより効率的な熱交換、つまりエネルギー熱効率を高めた高品位な熱資源を容易に採熱することができる。
【００５２】
この図５に示すＵ字管を用いた連携直列利用モデルを用いた地下水熱利用システム１ａでは、Ｕ字管を構成する戻り管又は送り管のいずれか一方向の配管が向流式熱交換を行う。他方向の配管は、必然的に井水２２又は還元水１６の流れの方向と一致するため向流式熱交換にはならない。しかし、還元水配管４による吸込み及び吐き出しにより還元井３内又は揚水井２内に上昇又は下降する水流を発生させ、循環水配管５の採放熱管６ａ，６ｂと向流させることで熱交換を促進させることができる。
【００５３】
（実施例：スパイラル採放熱管）
図６に、スパイラル採放熱管２０を用いた地下水熱利用システム１ｄの実施例を示す。この実施例では、向流式熱交換を行う還元井３側の採放熱管を螺旋状の第１スパイラル採放熱管２０ａとし、他方向の配管は、第１採放熱管(戻り管）２０ｃとする。また、向流式熱交換を行う揚水井２側の採放熱管を螺旋状の第２スパイラル採放熱管２０ｂとし、他方向の配管は、第２採放熱管(送り管）２０ｄとする。このように、Ｕ字管のうち向流式熱交換を行う部分を螺旋状のスパイラル採放熱管２０とする。これにより、還元水１６又は井水２２と向流により熱交換する採放熱管６の表面積が増加し、向流式熱交換による熱エネルギーの採熱をより効果的にすることが可能となる。
【００５４】
（カスケード熱移動方式）
ヒートシンク１０では、還元井３において、第１採放熱管６ａの循環水１５が揚水井２において熱放出した還元水１６から第１熱交換により採熱し、揚水井２に流通させた第１熱エネルギーと、揚水井２において、第２採放熱管６ｂの循環水１５が井水２２から第２熱交換により採熱した第２熱エネルギーを加算して熱交換する。このことは、あたかも滝が連鎖的に伝搬する状態とのアナロジーから「カスケード熱移動方式」と称する。以下、図７を用いてこの「カスケード熱移動方式」を説明する。
【００５５】
図７に、採放熱管６内の循環水１５の深度方向の温度分布のモデルを図示する。縦軸は地表面からの深度（ｄ）であり、横軸はその深度（ｄ）における温度（ｔ）を示す。一点波線（Ｌ）は、揚水井２に流入した地下水１４、つまり井水２２の一般的な温度分布をモデル化して示す。この揚水井２内の井水２２の温度分布は地表面近くでは、例えば大気の温度等に影響されるが本モデルではこの影響を無視して記載した。また、井水２２の温度分布は地下深くなるほど温度が上がることから、ほぼ直線にモデル化した。
【００５６】
実線による曲線（Ｍ）は、還元井３内における第１採放熱管６ａ内を流通する循環水１５の深度による温度分布の変化を示す。循環水１５が還元井３に進入する入口（Ｍ１）では、ヒートシンク１０により熱交換された直後であるため温度Ｔａ＝３℃である。その後、第１採放熱管６ａの最下点（Ｍ２）までは循環水１５の温度は還元水１６との第１熱交換により次第に上昇する。そして、最下点（Ｍ２）から折り返した循環水１５の温度は還元水１６との第１熱交換によりやや上昇する。しかし、還元水１６は上部になるほど温度が低くなるため、循環水１５の温度は緩やかに低下し、循環水１５が還元井３を退出する出口（Ｍ３）にて還元井３を温度Ｔｃ＝８℃で退出する。その結果、還元井３内においては、図７に示すループを描く。
【００５７】
また、実線による曲線（Ｎ）は、揚水井２における第２採放熱管６ｂを流通する循環水１５の温度分布の変化を示す。循環水１５が揚水井２に進入する入口（Ｎ１）では、温度Ｔｄ＝８℃である。その後、第２採放熱管６ｂの最下点（Ｎ２）までは循環水１５の温度は井水２２との第２熱交換により次第に上昇する。そして、最下点（Ｎ２）から折り返した循環水１５の温度は井水２２との第２熱交換により上昇する。しかし、井水２２は上部になるほど温度が低くなるため、循環水１５の温度は緩やかに低下し、第２採放熱管６ｂの最上点（Ｎ３）にて温度Ｔａ＝１１℃となり、揚水井２を退出し、ヒートシンク１０に向かう。その結果、揚水井２内においては、図７に示すループを描く。
【００５８】
図７に示すように、曲線（Ｍ）は、点（Ｍ１）から点（Ｍ３）へとループを描き、曲線（Ｎ）は、点（Ｍ３）と同じ点（Ｎ１）から点（Ｎ３）へとループを描く。すなわち、あたかも滝が連鎖的に伝搬するように、熱エネルギーが累積する。このように、揚水井２と還元井３とを一つのペアとしてその間に還元水配管４を配管し、全ての揚水井２及び還元井３を循環水配管５にて直列に連携させれば、カスケード熱移動方式による地下水熱利用システム１ａが出来上がる。
【００５９】
（第２実施形態：複数の採放熱管）
図８に、複数の採放熱管６が設けられた地下水熱利用システム１ｅの実施形態を示す。還元井３における第１熱交換、及び揚水井２における第２熱交換は、低温で揚水井２又は還元井３に進入した循環水１５が、循環水配管５を介してそれぞれ向流式の熱交換を行うことで温度を上昇させてヒートシンク１０に向かい熱利用させる。この第１熱交換及び第２熱交換において、循環水配管５の第１採放熱管６ａ及び第２採放熱管６ｂが熱交換を行う表面積が大きいほど熱交換が迅速に行われ、ヒートシンク１０において熱エネルギーを効率的に熱利用できる。そこで、揚水井２及び還元井３内で複数の採放熱管６に分岐して採熱することが効果的となる。図８に示すように、第１採放熱管６ａ及び第２採放熱管６ｂは、それぞれ３本に分岐し、分岐管はそれぞれＵ字状となって揚水井２又は還元井３に設けられる。この分岐の数は３本に限らず、例えば２本、４本などであっても良い。
【００６０】
（実施例：還元水配管の地中埋設）
図９に、実施例として揚水井２において還元水配管４又は還元水用ポンプ８が井戸内に設置された場合を示す。すなわち、還元水配管４は、揚水井２と還元井３とを接続する部分の一部又は全部が地中内に埋め込まれる。また、還元水１６を流通させる還元水用ポンプ８は、図９に示すように水中に設置される。しかし、この還元水用ポンプ８は、水中への設置に限らず、地上に据え付けられても良い。
【００６１】
揚水井２に流入した井水２２は、第２採放熱管６ｂを流通する循環水１５と第２熱交換を行い、温度（Ｔα）に低下した状態で還元水１６として還元井３に流入する。還元井３では、還元水１６はヒートシンク１０により温度（Ｔβ）に低下して第１採放熱管６ａを流通する循環水１５と第１熱交換を行う。
【００６２】
この還元井３における第１熱交換の際に熱効率ηを上げてエクセルギーを向上させるには、Ｔβ／Ｔαを最小にすればよい。すなわち、温度差（Ｔβ−Ｔα）を大きくするか、又は“Ｔα”を大きくすればよい。上述した３次元ＦＤＭ(有限差分法)解析モデルによるシミュレーション結果では、Ｔβ＝３℃であり、Ｔα＝８℃である。共に低い温度ではあるものの、この温度差がエクセルギーを生じる。従って、還元水１６の温度（Ｔα）を上げることにより還元井３において採熱される第１熱エネルギーを増加させることができる。つまり、還元水配管４について、揚水井２と還元井３とを接続する部分の一部又は全部を地中内に埋め込むことで地中熱により還元水１６の温度（Ｔα）を上げることができる。
【００６３】
（ヒートシンクの構成の実施例）
図１０に、ヒートシンク１０の構成の実施例として、ヒートソース（熱源）１１から採熱された熱エネルギーを道路や屋根の融雪装置１９に用いる場合を示すが、この用途に限らず他の用途であっても良い。ヒートシンク（ｈｅａｔ  ｓｉｎｋ）１０とは、発熱する機械や電気部品に取り付けて、熱の放散によって温度を下げることを目的とした部品であり、放熱器と称される。本実施形態では、このヒートシンク１０を破線で示し、ヒートソース（熱源）１１から採熱された熱エネルギーを利用する部分として示す。図１０（ａ）の実施例では、循環水１５は、循環水配管５の連結採放熱管（復路）６ｄにおいて循環水用ポンプ９により融雪装置１９の循環水配管５へ直接送られる。融雪装置１９を巡って熱エネルギーを放出した循環水１５は、第１採放熱管６ａに流入し、連結採放熱管（往路）６ｃ、第２採放熱管６ｂ、連結採放熱管（復路）６ｄへと循環する。このヒートシンク１０の構成では、循環水１５は水の場合でも良く、水以外の例えば、ブラインなどの不凍液の場合でも良い。
【００６４】
図１０（ｂ）には、ヒートシンク１０の構成の他の実施例を示す。ここでは、実施例として、例えば路面などの融雪装置１９を用いて説明するが、この用途に限らず他の用途であっても良い。上述した地下水熱利用システム１の循環水配管５の連結採放熱管（復路）６ｄにおいて循環水１５は、熱交換器７により融雪装置用循環水１７と熱交換する。そして、融雪装置用循環水１７は、熱交換器７により融雪装置１９の融雪装置用循環水配管２１へ送られる。そして、融雪装置１９を巡って熱エネルギーを放出した融雪装置用循環水１７は、熱交換器７に戻り、熱交換後、再度融雪装置用循環水配管２１を循環する。循環水１５は、熱交換器７を出ると第１採放熱管６ａに流入し、連結採放熱管（往路）６ｃ、第２採放熱管６ｂ、連結採放熱管（復路）６ｄへと循環する。この構成は、循環水１５及び融雪装置用循環水１７が水の場合でも良く、水以外の例えば、ブラインなどの不凍液の場合でも良い。さらに、循環水１５が水以外の例えば、ブラインなどの不凍液であり、融雪装置用循環水１７が水の場合であっても使用できる。
【００６５】
図１１に、図１０(ａ)の実施例において、還元水１６の一部が水資源として利用される実施例を示す。本実施例では、還元水１６の一部が還元水用ポンプ８から分岐し、バルブ２８を介して貯水槽２６に貯められ、水資源として活用された後に水路等２７に排水されるか、又は貯水槽２６から直接水路等２７に排水される。このように、還元水１６の一部が熱資源としてだけではなく水資源としても利用される場合もある。
【符号の説明】
【００６６】
１  地下水熱利用システム、１ａ  連携直列利用モデル、１ｂ  単純熱交換モデル、１ｃ  非連携並列利用モデル、１ｄ  スパイラル採放熱管を用いた地下水熱利用システム、１ｅ  複数の採放熱管を用いた地下水熱利用システム、２  揚水井、３  還元井、４  還元水配管、５  循環水配管、６  採放熱管，６ａ  第１採放熱管，６ｂ  第２採放熱管、６ｃ  連結採放熱管（往路），６ｄ  連結採放熱管（復路）、７  熱交換器、８  還元水用ポンプ、９  循環水用ポンプ、９ａ  還元井側循環水ポンプ，９ｂ  揚水井側循環水ポンプ、１０  ヒートシンク、１０ａ  還元井側ヒートシンク，１０ｂ  揚水井側ヒートシンク、１１  ヒートソース，１１ａ  還元井側ヒートソース，１１ｂ  揚水井側ヒートソース、１２  地下帯水層、１４  地下水、１５  循環水、１６  還元水、１７  融雪装置用循環水、１８  スリット、１９  融雪装置、２０  スパイラル採放熱管，２０ａ  第１スパイラル採放熱管，２０ｂ  第２スパイラル採放熱管，２０ｃ  第１採放熱管(戻り管)，２０ｄ  第２採放熱管(送り管)、２１  融雪装置用循環水配管、２２  井水、２３  向流式熱交換領域，２３ａ  還元井側向流式熱交換領域，２３ｂ  揚水井側向流式熱交換領域、２４  地下水入口、２５  地下水出口、２６  貯水槽、２７  水路等、２８  バルブ、Ｌ  揚水内の井水の温度分布を示す線、Ｍ  還元井内の第１採放熱管を流通する循環水の温度分布を示す線、Ｍ１，Ｍ２，Ｍ３  循環水の温度分布を示す線Ｍのポイント、Ｎ  揚水井内の第２採放熱管を流通する循環水の温度分布を示す線、Ｍｐ  還元水の流量、Ｍｑ  循環水の流量、Ｎ１，Ｎ２，Ｎ３  循環水の温度分布を示す線Ｎのポイント、Ｔ０  周囲の環境温度、又は室温、Ｔａ  ポイントＭ１の温度、Ｔｂ  ポイントＭ２の温度、Ｔｃ  ポイントＭ３の温度、Ｔｄ  ポイントＮ１の温度、Ｔｅ  ポイントＮ２の温度、Ｔｆ  ポイントＮ３の温度、Ｔｘ  還元井内の還元水の温度、Ｔｙ  揚水井内の井水の温度、Ｖｐ  還元水の流速、Ｖｑ  循環水の流速。
【図１】
2015212593.tif 000003
【図２】
2015212593.tif 000004
【図３】
2015212593.tif 000005
【図４】
2015212593.tif 000006
【図５】
2015212593.tif 000007
【図６】
2015212593.tif 000008
【図７】
2015212593.tif 000009
【図８】
2015212593.tif 000010
【図９】
2015212593.tif 000011
【図１０】
2015212593.tif 000012
【図１１】
2015212593.tif 000013